(57)【要約】【課題】システム制御回路の異常を認識することができない。【解決手段】監視対象１３の監視結果を検出する監視結果検出部１４と、この監視結果を検出すると、この監視結果を第１監視結果とし、この第１監視結果に基づいて監視対象の状態情報を認識するシステム制御回路１５とを有し、交流系統３と連系運転する系統連系自己監視装置１であって、監視結果を検出すると、この監視結果を第２監視結果として受信すると共に、同監視対象に関わる第１監視結果をシステム制御回路から受信する監視結果受信部２１と、受信した同監視対象に関わる第１監視結果と第２監視結果とを比較する比較部２２と、比較結果が所定許容範囲内にあるか否かを判定する比較結果判定部２３と、比較結果が所定許容範囲内にないと判定されると、システム制御回路を異常と認識する異常認識部２４とを有するようにした。【選択図】  図２
2004274953.tif 000002
【特許請求の範囲】
【請求項１】
監視対象の監視結果を検出する監視結果検出手段と、この監視結果検出手段にて監視結果を検出すると、この監視結果を第１監視結果とし、この第１監視結果に基づいて、前記監視対象の状態情報を認識する、少なくとも一つの制御手段とを有し、交流系統と連系運転する系統連系保護装置であって、
前記監視結果検出手段にて監視結果を検出すると、この監視結果を第２監視結果として受信すると共に、同監視対象に関わる第１監視結果を前記制御手段から受信する監視結果受信手段と、
この監視結果受信手段にて受信した同監視対象に関わる第１監視結果と第２監視結果とを比較する比較手段と、
この比較手段の比較結果に基づいて、前記制御手段の異常を認識する、少なくとも一つの異常認識手段とを有することを特徴とする系統連系保護装置。
【請求項２】
前記比較手段の比較結果が所定許容範囲内にあるか否かを判定する比較結果判定手段を有し、
前記異常認識手段は、
前記比較結果判定手段にて比較結果が所定許容範囲内にないと判定されると、前記制御手段を異常と認識することを特徴とする請求項１記載の系統連系保護装置。
【請求項３】
前記異常認識手段は、
前記比較結果判定手段にて比較結果が所定許容範囲内にあると判定されると、前記制御手段を正常と認識することを特徴とする請求項２記載の系統連系保護装置。
【請求項４】
前記異常認識手段にて前記制御手段が異常であると認識されると、前記交流系統との連系運転を停止する連系運転停止手段を有することを特徴とする請求項２又は３記載の系統連系保護装置。
【請求項５】
前記異常認識手段にて前記制御手段が異常であると認識されると、前記制御手段の異常を外部通知する異常通知手段を有することを特徴とする請求項２、３又は４記載の系統連系保護装置。
【請求項６】
前記異常認識手段にて前記制御手段が異常であると認識されると、基準信号に基づいて前記制御手段の異常検出値を修正する修正プログラムで、前記制御手段の異常検出値を修正する異常修正手段を有することを特徴とする請求項２、３、４又は５記載の系統連系保護装置。
【請求項７】
監視対象の監視結果を検出する監視結果検出手段と、この監視結果検出手段にて監視結果を検出すると、この監視結果を第１監視結果とし、この第１監視結果に基づいて、前記監視対象の状態情報を認識する制御手段とを有し、交流系統と連系運転する系統連系保護装置と、この系統連系保護装置と通信接続する検査管理装置とを有する系統連系保護システムであって、
前記系統連系保護装置は、
前記監視結果検出手段にて監視結果を検出すると、この監視結果を前記検査管理装置に伝送する監視結果伝送手段を有し、
前記検査管理装置は、
前記監視結果伝送手段にて伝送された監視結果を第２監視結果として受信すると共に、前記監視結果伝送手段を通じて同監視対象に関わる第１監視結果を前記制御手段から受信する監視結果受信手段と、
この監視結果受信手段にて受信した同監視対象に関わる第１監視結果と第２監視結果とを比較する比較手段と、
この比較手段の比較結果に基づいて、前記制御手段を異常と認識する異常認識手段とを有することを特徴とする系統連系保護システム。
【請求項８】
前記検査管理装置は、
前記比較手段の比較結果が所定許容範囲内にあるか否かを判定する比較結果判定手段を有し、
前記異常認識手段は、
前記比較結果判定手段にて比較結果が所定許容範囲内にないと判定されると、前記制御手段を異常と認識することを特徴とする請求項７記載の系統連系保護システム。
【請求項９】
前記異常認識手段は、
前記比較結果判定手段にて比較結果が所定許容範囲内にあると判定されると、前記制御手段を正常と認識することを特徴とする請求項８記載の系統連系保護システム。
【請求項１０】
前記検査管理装置は、
前記異常認識手段にて前記制御手段が異常であると認識されると、前記系統連系保護装置による前記交流系統との連系運転を停止させる連系運転停止手段を有することを特徴とする請求項８又は９記載の系統連系保護システム。
【請求項１１】
前記検査管理装置は、
前記異常認識手段にて前記制御手段が異常であると認識されると、前記制御手段の異常を外部通知する異常通知手段を有することを特徴とする請求項８，９又は１０記載の系統連系保護システム。
【請求項１２】
前記検査管理装置は、
前記異常認識手段にて前記制御手段が異常であると認識されると、基準信号に基づいて前記制御手段の異常検出値を修正する修正プログラムで、前記制御手段の異常検出値を修正する異常修正手段を有することを特徴とする請求項８，９，１０又は１１記載の系統連系保護システム。
【請求項１３】
前記系統連系保護装置及び検査管理装置は、
前記系統連系保護装置としての機能を設定する通常モードと、前記検査管理装置としての機能を設定する検査モードとを備え、所定操作に応じて、これら通常モード又は検査モードを切替設定可能とすることを特徴とする請求項７，８，９，１０，１１又は１２記載の系統連系保護システム。
【請求項１４】
前記系統連系保護装置及び検査管理装置は、
現在設定中のモードを識別表示するモード識別表示手段を有することを特徴とする請求項１３記載の系統連系保護システム。
【発明の詳細な説明】
【０００１】
【発明の属する技術分野】
本発明は、交流系統に連系運転する機能を備え、監視対象の監視結果を検出し、この監視結果に基づいて装置内部の状態を認識する機能を備えた系統連系保護装置及び系統連系保護システムに関する。
【０００２】
【従来の技術】
従来、このような系統連系保護装置としては、交流系統に連系運転する機能を備え、監視対象、例えば動作電圧値、電力値、電流値や絶縁抵抗値等の監視結果を検出し、この監視結果に基づいて装置内部の状態を認識する機能を備えたものが様々提案されている（特許文献１参照）。
【０００３】
特許文献１は、系統連系保護装置等の電力変換装置と、この電力変換装置と通信回線で接続された外部のシステム管理装置とを有する電力変換装置管理システムであって、前記電力変換装置は、監視対象である電力変換装置の異常を検出するシステム制御回路と、この異常をシステム管理装置に送信する通信手段とを備えたものである。
【０００４】
このような系統連系保護装置によれば、単一のシステム制御回路にて電力変換装置内の監視対象に関わる監視結果を検出し、この監視結果に基づいて電力変換装置内の異常等を認識するものである。
【０００５】
【特許文献１】
特開２００１−９５２６３号公報（要約書、図１参照）
【０００６】
【発明が解決しようとする課題】
しかしながら、上記従来の系統連系保護装置によれば、装置内の監視対象に関わる監視結果を検出し、これら検出した監視結果に基づいて、単一のシステム制御回路で装置内の異常を認識するようにしたが、例えばシステム制御回路自体の異常、又は、検出した監視結果をシステム制御回路で取得するまでのインタフェース回路の異常、その他、部品の許容差や経年変化等が要因で本来検出した検出値と実際にシステム制御回路で検出した検出値とに誤差が生じる、システム制御回路の検出認識の誤差が生じるようなシステム制御回路の異常を来たした場合には、そのシステム制御回路の異常を認識することができなかった。
【０００７】
本発明は上記点に鑑みてなされたものであり、その目的とするところは、システム制御回路（第１制御手段）に異常が発生したとしても、同システム制御回路（第１制御手段）の異常を認識することができる系統連系保護装置及び系統連系保護システムを提供することにある。
【０００８】
【課題を解決するための手段】
上記目的を達成するために本発明の系統連系保護装置は、監視対象の監視結果を検出する監視結果検出手段と、この監視結果検出手段にて監視結果を検出すると、この監視結果を第１監視結果とし、この第１監視結果に基づいて、前記監視対象の状態情報を認識する、少なくとも一つの制御手段とを有し、交流系統と連系運転する系統連系保護装置であって、前記監視結果検出手段にて監視結果を検出すると、この監視結果を第２監視結果として受信すると共に、同監視対象に関わる第１監視結果を前記制御手段から受信する監視結果受信手段と、この監視結果受信手段にて受信した同監視対象に関わる第１監視結果と第２監視結果とを比較する比較手段と、この比較手段の比較結果に基づいて、前記制御手段の異常を認識する、少なくとも一つの異常認識手段とを有するようにした。
【０００９】
従って、本発明の系統連系保護装置によれば、監視対象に関わる監視結果を検出すると、この監視結果を第１監視結果として制御手段に、第２監視結果として監視結果受信手段に夫々伝送し、さらに、監視結果受信手段にて同監視対象に関わる第１監視結果を制御手段から受信し、この監視対象に関わる第１監視結果と第２監視結果とを比較手段にて比較し、この比較結果に基づいて制御手段の異常を認識するようにしたので、制御手段に異常が発生したとしても、制御手段の異常を認識することができる。
【００１０】
本発明の系統連系保護装置は、前記比較手段の比較結果が所定許容範囲内にあるか否かを判定する比較結果判定手段を有し、前記異常認識手段は、前記比較結果判定手段にて比較結果が所定許容範囲内にないと判定されると、前記制御手段を異常と認識するようにした。
【００１１】
従って、本発明の系統連系保護装置によれば、比較手段の比較結果が所定許容範囲内にないと判定されると、制御手段内部で検出値に誤差が生じているものと判断し、制御手段を異常と認識するようにしたので、制御手段に異常が発生したとしても、制御手段の異常を認識することができる。
【００１２】
本発明の系統連系保護装置は、前記異常認識手段が、前記比較結果判定手段にて比較結果が所定許容範囲内にあると判定されると、前記制御手段を正常と認識するようにした。
【００１３】
従って、本発明の系統連系保護装置によれば、比較結果が所定許容範囲内にあると判定されると、前記制御手段を正常と認識するようにしたので、制御手段の正常状態を認識することができる。
【００１４】
本発明の系統連系保護装置は、前記異常認識手段にて前記制御手段が異常であると認識されると、前記交流系統との連系運転を停止する連系運転停止手段を有するようにした。
【００１５】
従って、本発明の系統連系保護装置によれば、異常認識手段にて制御手段の異常を認識すると、前記交流系統との連系運転を停止するようにしたので、制御手段の異常発生による交流系統への不具合発生を未然に防止することができる。
【００１６】
本発明の系統連系保護装置は、前記異常認識手段にて前記制御手段が異常であると認識されると、前記制御手段の異常を外部通知する異常通知手段を有するようにした。
【００１７】
従って、本発明の系統連系保護装置によれば、異常認識手段にて制御手段の異常を認識すると、この制御手段の異常を外部通知するようにした、例えば系統連系保護装置に設けた表示部に異常を表示したり、通信回線を通じて管理センタに異常を通報するようにしたので、制御手段の異常発生を外部に迅速に知らせることができる。
【００１８】
本発明の系統連系保護装置は、前記異常認識手段にて前記制御手段が異常であると認識されると、基準信号に基づいて前記制御手段の異常検出値を修正する修正プログラムで、前記制御手段の異常検出値を修正する異常修正手段を有するようにした。
【００１９】
従って、本発明の系統連系保護装置によれば、異常認識手段にて制御手段の異常を認識すると、基準信号に基づく前記制御手段の異常検出値を修正する修正プログラムで制御手段の異常検出値を修正するようにした、例えば制御手段内部で発生した検出値の誤差が無くなるように修正したので、制御手段に異常が発生したとしても、この異常を自動的に修正することができる。
【００２０】
本発明の系統連系保護システムは、監視対象の監視結果を検出する監視結果検出手段と、この監視結果検出手段にて監視結果を検出すると、この監視結果を第１監視結果とし、この第１監視結果に基づいて、前記監視対象の状態情報を認識する制御手段とを有し、交流系統と連系運転する系統連系保護装置と、この系統連系保護装置と通信接続する検査管理装置とを有する系統連系保護システムであって、前記系統連系保護装置は、前記監視結果検出手段にて監視結果を検出すると、この監視結果を前記検査管理装置に伝送する監視結果伝送手段を有し、前記検査管理装置は、前記監視結果伝送手段にて伝送された監視結果を第２監視結果として受信すると共に、前記監視結果伝送手段を通じて同監視対象に関わる第１監視結果を前記制御手段から受信する監視結果受信手段と、この監視結果受信手段にて受信した同監視対象に関わる第１監視結果と第２監視結果とを比較する比較手段と、この比較手段の比較結果に基づいて、前記制御手段を異常と認識する異常認識手段とを有するようにした。
【００２１】
従って、本発明の系統連系保護システムによれば、監視対象に関わる監視結果を検出すると、この監視結果を第１監視結果として系統連系保護装置内の制御手段に、第２監視結果として検査管理装置に夫々伝送し、監視結果受信手段を通じて同監視対象に関わる第１監視結果を制御手段から受信し、この監視対象に関わる第１監視結果と第２監視結果とを比較手段にて比較し、この比較結果に基づいて制御手段の異常を認識するようにしたので、系統連系保護装置内の制御手段に異常が発生したとしても、系統連系保護装置内に制御手段を監視する手段を設けることなく、各系統連系保護装置内の制御手段の異常を認識することができる。
【００２２】
本発明の系統連系保護システムは、前記検査管理装置が、前記比較手段の比較結果が所定許容範囲内にあるか否かを判定する比較結果判定手段を有し、前記異常認識手段は、前記比較結果判定手段にて比較結果が所定許容範囲内にないと判定されると、前記制御手段を異常と認識するようにした。
【００２３】
従って、本発明の系統連系保護システムによれば、比較手段の比較結果が所定許容範囲内にないと判定されると、系統連系保護装置内の制御手段内部による検出値に誤差が生じているものと判断し、制御手段を異常と認識するようにしたので、系統連系保護装置内の制御手段に異常が発生したとしても、検査管理装置側で各系統連系保護装置内の制御手段の異常を認識することができる。
【００２４】
本発明の系統連系保護システムは、前記異常認識手段が、前記比較結果判定手段にて比較結果が所定許容範囲内にあると判定されると、前記制御手段を正常と認識するようにした。
【００２５】
従って、本発明の系統連系保護システムによれば、比較結果が所定許容範囲内にあると判定されると、前記制御手段を正常と認識するようにしたので、系統連系保護装置内の制御手段の正常状態を検査管理装置側で認識することができる。
【００２６】
本発明の系統連系保護システムは、前記検査管理装置が、前記異常認識手段にて前記制御手段が異常であると認識されると、前記系統連系保護装置による前記交流系統との連系運転を停止させる連系運転停止手段を有するようにした。
【００２７】
従って、本発明の系統連系保護システムによれば、異常認識手段にて制御手段の異常を認識すると、前記交流系統との連系運転を停止するようにしたので、各系統連系保護装置内の制御手段の異常発生による交流系統への不具合発生を未然に防止することができる。
【００２８】
本発明の系統連系保護システムは、前記検査管理装置が、前記異常認識手段にて前記制御手段が異常であると認識されると、前記制御手段の異常を外部通知する異常通知手段を有するようにした。
【００２９】
従って、本発明の系統連系保護システムによれば、異常認識手段にて制御手段の異常を認識すると、この制御手段の異常を外部通知するようにした、例えば検査管理装置や系統連系保護装置に設けた表示部に異常を表示したり、通信回線を通じて管理センタに異常を通報するようにしたので、各系統連系保護装置内の制御手段の異常発生を外部に迅速に知らせることができる。
【００３０】
本発明の系統連系保護システムは、前記検査管理装置が、前記異常認識手段にて前記制御手段が異常であると認識されると、基準信号に基づいて前記制御手段の異常検出値を修正する修正プログラムで、前記制御手段の異常検出値を修正する異常修正手段を有するようにした。
【００３１】
従って、本発明の系統連系保護システムによれば、異常認識手段にて制御手段の異常を認識すると、基準信号に基づいて前記制御手段の異常検出値を修正する修正プログラムで制御手段の異常を修正するようにした、例えば系統連系保護装置内の制御手段内部で発生した検出値の誤差が無くなるように修正したので、各系統連系保護装置内の制御手段に異常が発生したとしても、この異常を自動的に修正することができる。
【００３２】
本発明の系統連系保護システムは、前記系統連系保護装置及び検査管理装置が、前記系統連系保護装置としての機能を設定する通常モードと、前記検査管理装置としての機能を設定する検査モードとを備え、所定操作に応じて、これら通常モード又は検査モードを切替設定可能とするようにした。
【００３３】
従って、本発明の系統連系保護システムによれば、系統連系保護装置としての機能を設定する通常モードと、検査管理装置としての機能を設定する検査モードとを系統連系保護装置及び検査管理装置内に夫々備え、所定操作に応じて通常モード又は検査モードを切替設定可能としたので、ユーザは、簡単な操作で系統連系保護装置又は検査管理装置として使用することができる。
【００３４】
本発明の系統連系保護システムは、前記系統連系保護装置及び検査管理装置が、現在設定中のモードを識別表示するモード識別表示手段を有するようにした。
【００３５】
従って、本発明の系統連系保護システムによれば、現在設定中のモードを識別表示するモード識別表示手段を系統連系保護装置及び検査管理装置に夫々備え、現在設定中のモードをモード識別表示手段に識別表示するようにしたので、ユーザは、モード識別表示手段の内容、例えばモード名称や色等で現在設定中のモードを簡単に認識することができる。
【００３６】
【発明の実施の形態】
（実施の形態１）
以下、図面に基づいて本発明における第１の実施の形態を示す系統連系保護装置について説明する。図１は第１の実施の形態を示す系統連系保護装置内部の概略構成を示すブロック図である。
【００３７】
図１に示す系統連系保護装置１は、例えば太陽電池等の直流供給源２と商用の交流系統３との間に配置され、直流供給源２からの直流電力を交流電力に変換し、この交流電力を図示せぬ家電製品等の負荷に供給すると共に、余剰の交流電力を交流系統３に供給するものである。尚、負荷は、系統連系保護装置１からの電力供給を受けているが、例えば系統連系保護装置１の出力電力が負荷の駆動電力に満たないような場合には、系統連系保護装置１からの電力供給に加え、交流系統３からの電力供給を受けるようにしている。
【００３８】
この系統連系保護装置１は、直流供給源２からの直流電力を交流電力に変換する電力変換装置１１と、この電力変換装置１１と交流系統３とを連系するリレー１２と、監視対象１３の監視結果を検出する監視結果検出部１４と、この監視結果検出部１４にて検出した監視結果を第１監視結果とし、この第１監視結果に基づいて監視対象１３の状態情報を認識するシステム制御回路１５と、このシステム制御回路１５の状態を監視する検査回路１６と、リレー１２をＯＮ／ＯＦＦ制御する連系保護部１７と、様々な情報を外部通知する状態通知部１８とを有している。
【００３９】
監視対象１３とは、例えば電力変換装置１１及び交流系統３間の動作電圧量、電力量、電流量や絶縁抵抗値等である。
【００４０】
監視結果検出部１４は、監視対象１３が電力変換装置１１及び交流系統３間の電圧量である場合、この電圧量を測定する電圧量測定部に相当し、監視対象１３が電力量の場合には、この電力量を測定する電力量測定部に相当するものである。
【００４１】
状態通知部１８は、例えば状態情報を外部表示する表示部１８Ａと、通信回線を通じて、例えば状態情報を管理センタ等に通報する通信部１８Ｂとを有している。
【００４２】
図２は系統連系保護装置１内のシステム制御回路１５及び検査回路１６内部の概略構成を示すブロック図である。
【００４３】
システム制御回路１５は、監視結果検出部１４にて監視対象１３の監視結果を検出すると、この監視結果を第１監視結果とし、この第１監視結果に基づいて監視対象１３の状態情報を認識するシステム制御部１５Ａを有し、このシステム制御部１５Ａは、この監視対象１３の状態情報を状態通知部１８に外部通知するものである。
【００４４】
検査回路１６は、監視結果検出部１４にて監視対象１３の監視結果を検出すると、この監視結果を第２監視結果として受信すると共に、同監視対象１３に関わる第１監視結果をシステム制御回路１５から受信する監視結果受信部２１と、この監視結果受信部２１にて受信した同監視対象１３に関わる第１監視結果と第２監視結果とを比較する比較部２２と、同監視対象１３に関わる所定許容範囲を許容範囲メモリ２３Ａから読み出し、比較部２２の比較結果が同監視対象１３の所定許容範囲内にあるか否かを判定する比較結果判定部２３と、この比較結果判定部２３の判定結果に基づいてシステム制御回路１５の状態を監視する異常認識部２４と、この異常認識部２４にてシステム制御回路１５の異常を認識すると、交流系統３との連系運転を停止すべく、連系保護部１７を制御する連系運転停止部２５と、システム制御回路１５の異常を認識すると、このシステム制御回路１５の異常を状態通知部１８に通知する異常通知部２６と、システム制御回路１５の異常を認識すると、基準信号に基づいてシステム制御回路１５の異常検出値を修正する異常修正プログラムを異常修正プログラムメモリ２７Ａから読み出し、この異常修正プログラムをシステム制御回路１５に伝送することで、システム制御回路１５の異常検出値を自動修正する異常修正部２７とを有している。
【００４５】
監視結果受信部２１は、監視結果検出部１４にて監視対象の監視結果を検出すると、この監視結果を第２監視結果として受信すると共に、同監視対象の第１監視結果をシステム制御回路１５から受信するものである。尚、これら第１監視結果及び第２監視結果は本来同一のものであるが、第１監視結果は、システム制御回路１５を経由して検査回路１６に入力することから、第２監視結果と比較して若干の誤差が生じる。そこで、許容範囲メモリ２３Ａは、監視対象毎に第１監視結果及び第２監視結果間の誤差許容範囲が記憶されているものとする。
【００４６】
異常認識部２４は、比較結果判定部２３にて第１監視結果と第２監視結果との比較結果が所定許容範囲内にないと判定されると、システム制御回路１５を異常と認識するものである。尚、システム制御回路１５の異常とは、例えばシステム制御回路１５自体の異常、又は監視結果検出部１４及びシステム制御回路１５間にあるインタフェース回路の異常、その他、部品の許容差や経年変化等が要因で本来検出した検出値と実際にシステム制御回路１５で検出した検出値とに誤差が生じる、システム制御回路１５の検出認識の誤差が生じるような場合である。
【００４７】
また、異常認識部２４は、比較結果判定部２３にて第１監視結果と第２監視結果との比較結果が所定許容範囲内にあると判定されると、システム制御回路１５を正常と認識するものである。
【００４８】
異常修正部２７は、基準信号に基づいてシステム制御回路１５の異常検出値を修正する修正プログラムで、システム制御回路１５の検出認識の誤差を修正する、例えば電圧に関わる検出認識の誤差を修正する場合、基準電圧を２３０Ｖとすると、この２３０Ｖをシステム制御回路１５に印加してシステム制御回路１５で認識した電圧値を確認し、２３０Ｖ±５％以内であれば修正せず、２３０Ｖ±５％以外であれば、システム制御回路１５で２３０Ｖとなるようにゲイン調整することで修正するものである。
【００４９】
尚、請求項記載の監視結果検出手段は監視結果検出部１４、制御手段はシステム制御回路１５、監視結果受信手段は検査回路１６内の監視結果受信部２１、比較手段は検査回路１６内の比較部２２、比較結果判定手段は検査回路１６内の比較結果判定部２３、異常認識手段は異常認識部２４、連系運転停止手段は連系運転停止部１７、異常通知手段は異常通知部２６、異常修正手段は異常修正部２７に相当するものである。
【００５０】
次に第１の実施の形態を示す系統連系保護装置１の動作について説明する。図３は系統連系保護装置１内部の異常監視処理に関わるシステム制御回路１５及び検査回路１６内部の処理動作を示すフローチャートである。
【００５１】
図３に示す異常監視処理とは、系統連系保護装置１内の監視対象１３に関わる状態情報を認識することはもちろんのこと、このシステム制御回路１５自体の状態を監視する処理である。
【００５２】
図３において監視結果検出部１４は、監視対象１３に関わる監視結果を検出すると、この監視結果を第１監視結果としてシステム制御回路１５に、この監視結果を第２監視結果として検査回路１６に夫々通知する（ステップＳ１１）。
【００５３】
検査回路１６は、監視結果受信部２１を通じて第２監視結果を受信すると共に、監視結果受信部２１を通じて、システム制御回路１５を経由して第１監視結果を受信する（ステップＳ１２）。
【００５４】
検査回路１６の比較部２２は、監視結果受信部２１にて監視対象１３に関わる第１監視結果及び第２監視結果を受信すると、これら第１監視結果と第２監視結果とを比較し、この比較結果が所定許容範囲内であるか否かを比較結果判定部２３にて判定する（ステップＳ１３）。尚、比較結果判定部２３では、この監視対象に関わる許容範囲を許容範囲メモリ２３Ａから読み出し、第１監視結果及び第２監視結果の比較結果が許容範囲内であるか否かを判定するものである。
【００５５】
検査回路１６の異常認識部２４は、比較結果判定部２３にて比較結果が許容範囲内であると判定されると、システム制御回路１５は正常であると認識すると共に、システム制御回路１５のシステム制御部１５Ａは、第１監視結果に基づいて監視対象１３の状態情報を認識する（ステップＳ１４）。
【００５６】
システム制御回路１５は、状態情報を認識すると、この監視対象１３が異常レベルであるか否かを判定する（ステップＳ１５）。
【００５７】
システム制御回路１５は、監視対象１３が異常レベルでないと判定されると、正常に関わる状態情報を状態通知部１８に通知することで（ステップＳ１６）、この処理動作を終了する。尚、ユーザは、ステップＳ１６にて状態通知部１８の表示部１８Ａの表示内容を目視することで監視対象が正常状態であることを認識することができる。
【００５８】
また、システム制御回路１５は、ステップＳ１５にて監視対象１３が異常レベルであると判定されると、連系保護部１７を通じてリレー１２を切断し（ステップＳ１７）、監視対象１３が異常であることを示す状態情報を状態通知部１８に通知することで（ステップＳ１８）、この処理動作を終了する。尚、ユーザは、ステップＳ１８にて状態通知部１８の表示部１８Ａの表示内容を目視することで監視対象１３が異常であることを認識することができ、さらには通信部１８Ｂを通じて監視対象１３の異常を管理センタに通報することができる。
【００５９】
また、検査回路１６の異常認識部２４は、比較結果判定部２３にて比較結果が許容範囲内にないと判定されると、システム制御回路１５が異常であると認識し、連系運転停止部２５にて連系保護部１７を通じてリレー１２を切断し（ステップＳ１９）、さらに、システム制御回路１５の異常を状態通知部１８に通知することで（ステップＳ２０）、この処理動作を終了する。尚、ユーザは、ステップＳ２０にて状態通知部１８の表示部１８Ａの表示内容を目視することでシステム制御回路１５の異常を認識することができ、さらには通信部１８Ｂを通じてシステム制御回路１５の異常を管理センタに通報することができる。
【００６０】
第１の実施の形態によれば、監視対象１３に関わる監視結果を検出すると、この監視結果を第１監視結果としてシステム制御回路１５に、第２監視結果として検査回路１６に夫々伝送し、この検査回路１６内の監視結果受信部２１にて同監視対象１３に関わる第１監視結果をシステム制御回路１５から受信し、この監視対象１３に関わる第１監視結果と第２監視結果とを比較部２２にて比較し、この比較結果が許容範囲内にないと判定されると、システム制御回路１５の異常を認識するようにしたので、システム制御回路１５に異常が発生したとしても、システム制御回路１５の異常を認識することができる。
【００６１】
第１の実施の形態によれば、異常認識部２４にてシステム制御回路１５の異常を認識すると、連系運転停止部２５にて連系保護部１７を制御してリレー１２を切断することで交流系統３との連系運転を停止するようにしたので、システム制御回路１５の異常発生による交流系統３への不具合発生を未然に防止することができる。
【００６２】
第１の実施の形態によれば、異常認識部２４にてシステム制御回路１５の異常を認識すると、このシステム制御回路１５の異常を状態通知部２６にて通知する、例えば表示部１８Ａに異常発生を表示したり、通信回線を通じて管理センタに異常を通報するようにしたので、システム制御回路１５の異常発生を外部に迅速に知らせることができる。
【００６３】
第１の実施の形態によれば、異常認識部２４にてシステム制御回路１５の異常を認識すると、システム制御回路１５の異常を修正する修正プログラムに基づいて、システム制御回路１５の異常を修正するようにしたので、システム制御回路１５に異常が発生したとしても、この異常を自動的に修正することができる。
【００６４】
尚、上記第１の実施の形態においては、直流供給源２からの電力供給を受けて監視対象１３の状態情報やシステム制御回路１５の状態を監視するようにしたが、例えば直流供給源２を昼間にのみエネルギーを生成する太陽電池の場合、夜間帯に監視動作ができなくなるおそれがある。そこで、このような場合には交流系統３からの電力供給を受けて監視動作を行うようにしても良い。
【００６５】
また、上記第１の実施の形態においては、単一の検査回路１６で単一のシステム制御回路１５を監視するようにしたが、複数個の検査回路１６で単一のシステム制御回路１５を監視するようにしても良く、この場合には、個々の検査回路１６の負担を分散することができる。また、同様に複数のシステム制御回路１５を単一の検査回路１６や、複数の検査回路１６で監視するようにしても良いことは言うまでもない。
【００６６】
尚、上記第１の実施の形態においては、系統連系保護装置１内部にシステム制御回路１５を監視する検査回路１６を設けるようにしたが、同一装置内ではなく、同検査回路を他装置として設けるようにしても良く、このような場合のシステム構成を第２の実施の形態として説明する。
【００６７】
（実施の形態２）
図４は第２の実施の形態を示す系統連系保護システムの全体構成を示す説明図である。
【００６８】
図４に示す系統連系保護システム３０は、複数台の系統連系保護装置４０と、これら複数台の系統連系保護装置４０と通信接続し、これら系統連系保護装置４０内部のシステム制御回路４５の状態を監視する検査管理装置５０とを有している。
【００６９】
図５は第２の実施の形態を示す系統連系保護システム３０に関わる系統連系保護装置４０内部の概略構成を示すブロック図である。
【００７０】
各系統連系保護装置４０は、直流供給源３１及び交流系統３２間に配置され、直流供給源３１からの直流電力を交流電力に変換し、この交流電力を図示せぬ家電製品等の負荷に供給すると共に、余剰の交流電力を交流系統３２に供給するものである。尚、負荷は、系統連系保護装置４０からの電力供給を受けているが、例えば系統連系保護装置４０の出力電力が負荷の駆動電力に満たないような場合には、系統連系保護装置４０からの電力供給に加え、交流系統３２からの電力供給を受けるようにしている。
【００７１】
この系統連系保護装置４０は、直流供給源３１からの直流電力を交流電力に変換する電力変換装置４１と、この電力変換装置４１と交流系統３２とを連系するリレー４２と、監視対象４３の監視結果を検出する監視結果検出部４４と、この監視結果検出部４４にて検出した監視結果を第１監視結果とし、この第１監視結果に基づいて監視対象１３の状態情報を認識するシステム制御回路４５と、リレー４２をＯＮ／ＯＦＦ制御する連系保護部４６と、様々な状態情報等を外部通知する状態通知部４７とを有している。
【００７２】
図６は系統連系保護装置４０のシステム制御回路４５内部の概略構成を示すブロック図である。
【００７３】
図６に示すシステム制御回路４５は、監視結果検出部４４にて監視対象の監視結果を検出すると、この監視結果を第１監視結果とし、この第１監視結果に基づいて監視対象の状態情報を認識するシステム制御部４５Ａと、このシステム制御部４５を経由した第１監視結果を、通信回線を通じて検査管理装置５０に伝送する監視結果伝送部４５Ｂとを有している。
【００７４】
図７は検査管理装置５０内部の概略構成を示すブロック図である。
【００７５】
図７に示す検査管理装置５０は、他の系統連系保護装置４０との通信を司ると共に、様々な情報を外部通知する状態通知部５１と、他の系統連系保護装置４０内部のシステム制御回路４５を監視する検査回路５２とを有している。
【００７６】
状態通知部５１は、他の系統連系保護装置４０及び管理センタと通信接続する通信部５１Ａと、例えばシステム制御回路４５の状態等を表示する表示部５１Ｂとを有している。
【００７７】
検査回路５２は、通信部５１Ａを通じて、他の系統連系保護装置４０の監視対象に関わる監視結果を第２監視結果として受信すると共に、同監視対象に関わる第１監視結果を、システム制御回路３５を経由して受信する監視結果受信部６１と、同監視対象に関わる第１監視結果と第２監視結果とを比較する比較部６２と、同監視対象に関わる所定許容範囲を許容範囲メモリ６３Ａから読み出し、比較部６２の比較結果が同監視対象１３の所定許容範囲内にあるか否かを判定する比較結果判定部６３と、この比較結果判定部６３の判定結果に基づいて各系統連系保護装置４０内部のシステム制御回路４５の状態を監視する異常認識部６４と、この異常認識部６４にてシステム制御回路４５の異常を認識すると、交流系統３との系統連系保護装置４０の連系運転を停止すべく、連系保護部１７を制御する連系運転停止部６５と、システム制御回路４５の異常を認識すると、システム制御回路４５の異常を状態通知部５１に通知する異常通知部６６と、システム制御回路４５の異常を認識すると、基準信号に基づいてシステム制御回路４５の異常検出値を修正する異常修正プログラムを異常修正プログラムメモリ６７Ａから読み出し、この異常修正プログラムを異常のシステム制御回路４５に伝送することで、システム制御回路４５の異常検出値を自動修正する異常修正部６７とを有している。
【００７８】
監視結果受信部６１は、系統連系保護装置４０の監視結果検出部４４にて検出した監視結果を第２監視結果として受信すると共に、同監視対象の第１監視結果をシステム制御回路４５を経由して受信するものである。尚、第１監視結果はシステム制御回路４５を経由して監視結果受信部６１にて受信することから、第２監視結果と比較して若干の誤差が生じる。そこで、許容範囲メモリ６３Ａは、監視対象毎に第１監視結果及び第２監視結果間の誤差許容範囲が記憶されているものとする。
【００７９】
異常認識部６４は、比較結果判定部６３にて第１監視結果と第２監視結果との比較結果が所定許容範囲内にないと判定されると、システム制御回路４５を異常と認識するものである。尚、システム制御回路４５の異常とは、例えばシステム制御回路４５自体の異常、又は監視結果検出部４４及びシステム制御回路４５間にあるインタフェース回路の異常、その他、部品の許容差や経年変化等が要因で本来検出した検出値と実際にシステム制御回路４５で検出した検出値とに誤差が生じる、システム制御回路４５の検出認識の誤差が生じるような場合である。
【００８０】
異常認識部６４は、比較結果判定部６３にて第１監視結果と第２監視結果との比較結果が所定許容範囲内にあると判定されると、システム制御回路４５を正常と認識するものである。
【００８１】
異常修正部６７は、基準信号に基づいて異常のシステム制御回路４５の異常検出値を修正する修正プログラムで、システム制御回路４５の検出認識の誤差を修正する、例えば電圧に関わる検出認識の誤差を修正する場合、基準電圧を２３０Ｖとすると、この２３０Ｖをシステム制御回路４５に印加してシステム制御回路４５で認識した電圧値を確認し、２３０Ｖ±５％以内であれば修正せず、２３０Ｖ±５％以外であれば、システム制御回路４５で２３０Ｖとなるようにゲイン調整することで修正するものである。
【００８２】
尚、監視結果検出部４４にて検出する監視対象の監視結果は、監視内容の他に、この監視対象に関わる系統連系保護装置の装置ＩＤと、監視対象の対象ＩＤとを付加している。
【００８３】
つまり、検査管理装置５０では、監視結果に付加された装置ＩＤ及び対象ＩＤに基づいて系統連系保護装置４０を特定し、さらに系統連系保護装置４０内の監視対象を特定するものである。
【００８４】
尚、請求項記載の監視結果検出手段は監視結果検出部４４、制御手段はシステム制御回路４５、監視結果受信手段は検査回路５２内の監視結果受信部６１、比較手段は検査回路５２内の比較部６２、比較結果判定手段は検査回路５２内の比較結果判定部６３、異常認識手段は異常認識部６４、連系運転停止手段は連系運転停止部６５、異常通知手段は異常通知部６６、異常修正手段は異常修正部６７に相当するものである。
【００８５】
次に第２の実施の形態を示す系統連系保護システム３０の動作について説明する。図７は系統連系保護システム３０の異常監視処理に関わる系統連系保護装置４０及び検査管理装置５０内部の処理動作を示すフローチャートである。
【００８６】
図８に示す異常監視処理とは、系統連系保護装置４０内の監視対象４３に関わる状態情報を認識することはもちろんのこと、各系統連系保護装置４０内のシステム制御回路４５自体の状態を監視する処理である。
【００８７】
図８において系統連系保護装置４０内の監視結果検出部４４は、監視対象４３に関わる監視結果を検出すると、この監視結果を第１監視結果としてシステム制御回路４５に、この監視結果を第２監視結果として検査管理装置５０に夫々通知する（ステップＳ３１）。
【００８８】
検査管理装置５０の検査回路５２は、監視結果受信部６１を通じて第２監視結果を受信すると共に、監視結果受信部６１を通じて、システム制御回路４５を経由して第１監視結果を受信する（ステップＳ３２）。
【００８９】
検査回路５２の比較部６２は、監視結果受信部６１にて監視対象４３に関わる第１監視結果及び第２監視結果を受信すると、これら第１監視結果と第２監視結果とを比較し、この比較結果が所定許容範囲内であるか否かを比較結果判定部６３にて判定する（ステップＳ３３）。尚、比較結果判定部６３では、この監視対象に関わる許容範囲を許容範囲メモリ６３Ａから読み出し、第１監視結果及び第２監視結果の比較結果が許容範囲内であるか否かを判定するものである。
【００９０】
検査回路５２の異常認識部６４は、比較結果判定部６３にて比較結果が許容範囲内であると判定されると、システム制御回路４５は正常であると認識すると共に、システム制御回路４５のシステム制御部４５Ａは、第１監視結果に基づいて監視対象４３の状態情報を認識する（ステップＳ３４）。
【００９１】
システム制御回路４５は、状態情報を認識すると、この監視対象４３が異常レベルであるか否かを判定する（ステップＳ３５）。
【００９２】
システム制御回路４５は、監視対象４３が異常レベルでないと判定されると、正常に関わる状態情報を状態通知部４７に通知することで（ステップＳ３６）、この処理動作を終了する。尚、ユーザは、ステップＳ３６にて状態通知部４７の表示部４７Ａの表示内容を目視することで監視対象が正常状態であることを認識することができる。また、正常に関わる状態情報を検査管理装置５０に伝送することで、その正常に関わる状態情報を状態通知部５１に通知するようにしても良い。
【００９３】
また、システム制御回路４５は、ステップＳ３５にて監視対象４３が異常レベルであると判定されると、連系保護部４６を通じてリレー４２を切断し（ステップＳ３７）、監視対象４３が異常であることを示す状態情報を状態通知部４７に通知することで（ステップＳ３８）、この処理動作を終了する。尚、ユーザは、ステップＳ３８にて状態通知部４７の表示部４７Ａの表示内容を目視することで監視対象４３が異常であることを認識することができ、さらには通信部４７Ｂを通じて監視対象４３の異常を管理センタに通報することができる。
【００９４】
また、検査回路５２の異常認識部６４は、比較結果判定部６３にて比較結果が所定許容範囲内にないと判定されると、システム制御回路４５が異常であると認識し、連系運転停止部６５にて異常中のシステム制御回路４５の系統連系保護装置４０に関わる連系保護部４６を制御してリレー４２を切断し（ステップＳ３９）、システム制御回路４５の異常を系統連系保護装置４０内部の状態通知部４７及び検査管理装置５０内部の状態通知部５１に通知することで（ステップＳ４０）、この処理動作を終了する。尚、ユーザは、ステップ４０にて状態通知部４７（５１）の表示部４７Ａ（５１Ａ）の表示内容を目視することでシステム制御回路４５の異常を認識することができ、さらには通信部４７Ｂ（５１Ｂ）を通じてシステム制御回路４５の異常を管理センタに通報することができる。
【００９５】
第２の実施の形態によれば、監視対象４３に関わる監視結果を検出すると、この監視結果を第１監視結果としてシステム制御回路４５に、第２監視結果として検査管理装置５０に夫々伝送し、この検査管理装置５０内の監視結果受信部６１にて同監視対象４３に関わる第１監視結果をシステム制御回路４５から受信し、この監視対象４３に関わる第１監視結果と第２監視結果とを比較部６２にて比較し、この比較結果が所定許容範囲内にないと判定されると、システム制御回路４５の異常を認識するようにしたので、他の系統連系保護装置４０内のシステム制御回路４５に異常が発生したとしても、系統連系保護装置４０内にシステム制御回路４５を監視する手段を設けることなく、検査管理装置５０側でシステム制御回路４５の異常を認識することができる。
【００９６】
第２の実施の形態によれば、異常認識部６４にてシステム制御回路４５の異常を認識すると、連系運転停止部６５にて異常中のシステム制御回路４５に関わる系統連系保護装置４０内の連系保護部４６を制御してリレー４２を切断することで交流系統３２との連系運転を停止するようにしたので、システム制御回路４５の異常発生による交流系統３２への不具合発生を未然に防止することができる。
【００９７】
第２の実施の形態によれば、異常認識部６４にてシステム制御回路４５の異常を認識すると、このシステム制御回路４５の異常を状態通知部４７（５１）にて通知する、例えば表示部４７Ａ（５１Ｂ）に異常発生を表示したり、通信部４７Ｂ（５１Ａ）を通じて管理センタに異常を通報するようにしたので、システム制御回路４５の異常発生を外部に迅速に知らせることができる。
【００９８】
第２の実施の形態によれば、異常認識部６４にてシステム制御回路４５の異常を認識すると、基準信号に基づいて異常のシステム制御回路４５の異常検出値を修正する修正プログラムで、系統連系保護装置４０内のシステム制御回路４５の異常を修正するようにしたので、システム制御回路４５に異常が発生したとしても、この異常を自動的に修正することができる。
【００９９】
尚、上記実施の形態においては、系統連系保護装置４０と、検査管理装置５０とを別個に設けるようにしたが、例えば単一装置内に系統連系保護装置４０のハード構成と検査管理装置５０のハード構成とを備え、さらに系統連系保護装置４０として使用する通常モード及び検査管理装置５０として使用する検査モードを備えた動作モード設定メモリを備え、所定操作に応じて通常モード又は検査モードに切替設定可能とするようにした。
【０１００】
このような装置によれば、所定操作に応じて通常モード又は検査モードを切替設定可能とし、例えば通常モードに設定した場合には系統連系保護装置４０として使用可能とし、検査モードに設定した場合には検査管理装置５０として使用可能とするようにしたので、検査管理装置及び系統連系保護装置を個別に準備する必要もなくなる。
【０１０１】
また、このような装置によれば、通常モード又は検査モードを切替設定可能としたが、現在設定中のモードがユーザ側で識別できないといった事態も考えられるため、例えば表示部や音声出力部等を設け、この表示部に現在設定中のモードを識別表示したり、音声出力部にて現在設定中のモードを音声出力するようにしても良く、この場合、表示部の表示内容又は音声出力部の音声内容で当該装置の現在の設定モードを簡単に認識することができる。
【０１０２】
また、上記実施の形態においては、システム制御回路１５（４５）の異常を認識すると、基準信号に基づいてシステム制御回路１５（４５）の異常検出値を修正する修正プログラムを装置内部の異常修正プログラムメモリ２７Ａ（６７Ａ）に記憶管理するようにしたが、装置内に設けることなく、インタネット等の外部から、その異常内容に対応した修正プログラムをダウンロードできるようにしても良い。
【０１０３】
また、上記実施の形態においては、システム制御回路１５（４５）の異常を認識すると、システム制御回路１５（４５）の異常を状態通知部１８（４７，５１）に通知することで、異常表示や管理センタへの通報を行うようにしたが、警報ブザー等の鳴動出力でシステム制御回路１５（４５）の異常を知らせるようにしても良い。
【０１０４】
また、上記実施の形態においては、システム制御回路１５（４５）の異常を認識すると、システム制御回路１５（４５）の異常を、通信部を通じて管理センタに通報するようにしたが、管理センタ側では同異常の内容を履歴として記憶管理するようにしても良い。
【０１０５】
また、上記実施の形態においては、システム制御回路１５（４５）の異常を認識すると、系統連系保護装置１（系統連系保護装置４０や検査管理装置５０）内部の異常修正部２７（６７）及び異常修正プログラムメモリ２７Ａ（６７Ａ）を使用してシステム制御回路１５（４５）の異常検出値を修正するようにしたが、例えばシステム制御回路１５（４５）の異常検出値を修正する修正プログラムを記憶管理する保守端末と、この保守端末からの修正プログラムに基づいてシステム制御回路１５（４５）の異常検出値を修正する基準信号を発生する校正ユニットとを系統連系保護装置１（４０，５０）に外部接続することで、この装置内に異常修正部２７（６７）及び異常修正プログラムメモリ２７Ａ（６７Ａ）を設けなくても、システム制御回路１５（４５）の異常検出値を修正することができる。
【０１０６】
では、このような系統連系保護装置１（４０，５０）に外部接続して、システム制御回路１５（４５）の異常検出値を修正する際の保守端末及び校正ユニットの作業内容について説明する。図９はシステム制御回路１５（４５）の異常検出値を修正する際の保守端末の表示画面を示す説明図、図１０は校正ユニットのイメージ構成を示す説明図である。
【０１０７】
図１０に示す校正ユニット１００は、システム制御回路１５（４５）とプラグ１００Ａで接続し、例えば２３０Ｖの基準電圧値をシステム制御回路１５（４５）に印加する。
【０１０８】
保守端末では、図９に示すようにシステム制御回路１５（４５）で認識した電圧値を直流電圧値表示欄１０１に表示する。保守端末のユーザは、この直流電圧値表示欄１０１に表示中の電圧値が２３０Ｖ±５％以内ならば、修正必要なしと認識することができる。
【０１０９】
しかし、保守端末のユーザは、表示中の電圧値が２３０Ｖ±５％以外ならば、修正が必要であると認識し、校正ゲイン入力欄１０２に調整ゲインを入力する。保守端末では、現在のゲイン調整値を直流電圧ゲイン表示欄１０３に表示する。
【０１１０】
そして、保守端末では、この直流電圧ゲイン表示欄１０３に表示中のゲイン調整を行うことで、校正ユニット１００を通じてシステム制御回路１５（４５）で２３０Ｖ±５％以内となるように修正し、そのシステム制御回路１５（４５）で認識した電圧値を直流電圧値表示欄１０１に表示することになる。
【０１１１】
従って、保守端末のユーザは、この直流電圧値表示欄１０１に表示中の電圧値が２３０Ｖ±５％以内となると、システム制御回路１５（４５）の異常検出値が修正されたことを認識することができる。
【０１１２】
【発明の効果】
上記のように構成された本発明の系統連系保護装置によれば、監視対象に関わる監視結果を検出すると、この監視結果を第１監視結果として制御手段に、第２監視結果として監視結果受信手段に夫々伝送し、さらに、監視結果受信手段にて同監視対象に関わる第１監視結果を制御手段から受信し、この監視対象に関わる第１監視結果と第２監視結果とを比較手段にて比較し、この比較結果に基づいて制御手段の異常を認識するようにしたので、制御手段に異常が発生したとしても、制御手段の異常を認識することができる。
【０１１３】
本発明の系統連系保護装置によれば、比較手段の比較結果が所定許容範囲内にないと判定されると、例えば制御手段内部で検出値に誤差が生じているものと判断し、制御手段を異常と認識するようにしたので、制御手段に異常が発生したとしても、制御手段の異常を認識することができる。
【０１１４】
また、本発明の系統連系保護システムによれば、監視対象に関わる監視結果を検出すると、この監視結果を第１監視結果として系統連系保護装置内の制御手段に、第２監視結果として検査管理装置に夫々伝送し、監視結果受信手段を通じて同監視対象に関わる第１監視結果を制御手段から受信し、この監視対象に関わる第１監視結果と第２監視結果とを比較手段にて比較し、この比較結果に基づいて制御手段の異常を認識するようにしたので、系統連系保護装置内の制御手段に異常が発生したとしても、系統連系保護装置内に制御手段を監視する手段を設けることなく、各系統連系保護装置内の制御手段の異常を認識することができる。
【０１１５】
本発明の系統連系保護システムによれば、比較手段の比較結果が所定許容範囲内にないと判定されると、例えば系統連系保護装置内の制御手段内部による検出値に誤差が生じているものと判断し、制御手段を異常と認識するようにしたので、系統連系保護装置内の制御手段に異常が発生したとしても、検査管理装置側で各系統連系保護装置内の制御手段の異常を認識することができる。
【図面の簡単な説明】
【図１】本発明に関わる第１の実施の形態を示す系統連系保護装置内部の概略構成を示すブロック図である。
【図２】第１の実施の形態を示す系統連系保護装置の要部であるシステム制御回路及び検査回路内部の概略構成を示すブロック図である。
【図３】第１の実施の形態の系統連系保護装置の異常監視処理に関わるシステム制御回路及び検査回路の処理動作を示すフローチャートである。
【図４】第２の実施の形態を示す系統連系保護システムの全体構成を示すブロック図である。
【図５】第２の実施の形態を示す系統連系保護システム内の系統連系保護装置内部の概略構成を示すブロック図である。
【図６】第２の実施の形態に関わる系統連系保護装置のシステム制御回路内部の概略構成を示すブロック図である。
【図７】第２の実施の形態に関わる検査管理装置内部の概略構成を示すブロック図である。
【図８】第２の実施の形態の異常監視処理に関わる系統連系保護装置及び検査管理装置内部の処理動作を示すフローチャートである。
【図９】他の実施の形態に関わるシステム制御回路の異常検出値を修正する際の保守端末の表示画面を示す説明図である。
【図１０】他の実施の形態に関わる校正ユニットのイメージ構成を示す説明図である。
【符号の説明】
１    系統連系保護装置
３    交流系統
１３    監視対象
１４    監視結果検出部（監視結果検出手段）
１５    システム制御回路（制御手段）
１７    連系運転停止部（連系運転停止手段）
２１    監視結果受信部（監視結果受信手段）
２２    比較部（比較手段）
２３    比較結果判定部（比較結果判定手段）
２４    異常認識部（異常認識手段）
２６    異常通知部（異常通知手段）
２７    異常修正部（異常修正手段）
３０    系統連系保護システム
３２    交流系統
４０    系統連系保護装置
４３    監視対象
４４    監視結果検出部（監視結果検出手段）
４５    システム制御回路（制御手段）
４５Ｂ  監視結果伝送部（監視結果伝送手段）
５０    検査管理装置
６１    監視結果受信部（監視結果受信手段）
６３    比較結果判定部（比較結果判定手段）
６４    異常認識部（異常認識手段）
６５    連系運転停止部（連系運転停止手段）
６６    異常通知部（異常通知手段）
６７    異常修正部（異常修正手段）
【図１】
2004274953.tif 000003
【図２】
2004274953.tif 000004
【図３】
2004274953.tif 000005
【図４】
2004274953.tif 000006
【図５】
2004274953.tif 000007
【図６】
2004274953.tif 000008
【図７】
2004274953.tif 000009
【図８】
2004274953.tif 000010
【図９】
2004274953.tif 000011
【図１０】
2004274953.tif 000012